(57)【要約】【課題】  本発明のひざ掛けは、冷房時、暖房時、あるいは空調時における下半身の冷えを防止するためにひざや足等に掛けて保温を図るものである。【解決手段】  ひざ掛け１は、前記不織布１１、１２よりやや大きさの小さい紙シート１３および紙粉シート１４が重ねられ、これらが不織布１１と不織布１２によって覆われている。また、前記不織布１１および不織布１２の周囲は、ヒートシールを行うプレス機の押圧、または熱ローラーの間の通過によって不織布１１、１２どうしがシールされて、ヒートシール部１５ができる。【選択図】  図１
2005054318.tif 000002
【特許請求の範囲】
【請求項１】
互いに重ねられた紙粉シートおよび紙シートと、
前記重合する紙粉シートおよび紙シートの表面側および裏面側を覆う不織布と、
前記不織布の周囲をシールするシール部と、
から少なくとも構成されていることを特徴とするひざ掛け。
【請求項２】
紙粉シートを挟んで重ねられた複数枚の紙シートと、
前記重合する紙シートの表面側および裏面側を覆う不織布と、
前記不織布の周囲をシールするシール部と、
から少なくとも構成されていることを特徴とするひざ掛け。
【請求項３】
互いに重ねられた複数枚の紙シートと、
前記重合する紙シートの表面側および裏面側を覆う不織布と、
前記不織布の周囲をシールするシール部と、
から少なくとも構成されていることを特徴とするひざ掛け。
【請求項４】
前記シール部は、ヒートシールによって接着されていることを特徴とする請求項１ないし請求項３のいずれか１項に記載されたひざ掛け。
【請求項５】
前記紙粉シート、紙シート、および両面側の不織布は、エンボス処理によって合着されていることを特徴とする請求項１ないし請求項４のいずれか１項に記載されたひざ掛け。
【請求項６】
前記紙シートおよび／または紙粉シートは、古紙からなることを特徴とする請求項１ないし請求項５のいずれか１項に記載されたひざ掛け。
【請求項７】
紙粉シートおよび紙シートを互いに重ねる第１工程と、
前記重ねられた前記各シートの両面を不織布によって覆う第２工程と、
前記不織布の周囲をシールする第３工程と、
から少なくとも構成されていることを特徴とするひざ掛け作製方法。
【請求項８】
複数枚の紙シートにより紙粉シートを挟むように重ねる第１工程と、
前記重ねられた前記各シートの両面を不織布によって覆う第２工程と、
前記不織布の周囲をシールする第３工程と、
から少なくとも構成されていることを特徴とするひざ掛け作製方法。
【請求項９】
複数の紙シートを順次重ねる第１工程と、
前記重ねられた前記紙シートの両面を不織布によって覆う第２工程と、
前記不織布の周囲をシールする第３工程と、
から少なくとも構成されていることを特徴とするひざ掛け作製方法。
【請求項１０】
前記紙シート、紙粉シート、および両面の不織布は、表面に凹凸が形成されたエンボスローラの間を通過することによってエンボスが成形される第４工程を有することを特徴とする請求項７ないし請求項９のいずれか１項に記載されたひざ掛け作製方法。
【請求項１１】
前記紙シートは、トイレットペーパーからなることを特徴とする請求項７ないし請求項１０のいずれか１項に記載されたひざ掛け作製方法。
【発明の詳細な説明】
【技術分野】
【０００１】
本発明は、ビルの室内や遊技店における冷房時、あるいは省エネルギーによる暖房時において、足元や膝の部分が冷えるのを防止するひざ掛けおよびひざ掛け作製方法に関するものである。
【０００２】
また、本発明は、紙シートおよび／または紙粉シートを不織布によって覆うことにより、保温性および柔軟性が高く、また、安価であるが嵩高いので、重厚感があって商品価値の高いひざ掛けおよびひざ掛け作製方法に関するものである。
【背景技術】
【０００３】
ひざ掛けは、冷房時、暖房時、あるいは空調時における下半身の冷えを防止するためにひざや足等に掛けて保温を図るものである。体感温度は、人により大きな差があり、部屋を平均的な温度にしたとしても、必ず下半身が冷えるという者がいる。
【０００４】
たとえば、特開２００２−６１０１０に記載されているひざ掛けは、その本体が上壁面部と垂下面部とからなり、側面視倒立Ｌ字型で、この倒立Ｌ字型の角部近傍に補助片を逢着することにより、効率のよい保温を図っている。
【０００５】
また、特開２００１−３２９４０７に記載されているひざ掛けは、ひざに掛けた時に地面や床に裾がこすれ難く、汚れ難いように円形をしている。さらに、特開２００１−３１７８８９に記載されているひざ掛けは、金属や酸化物をドライメッキ法によって密着させた金属層と基材層からなる。このような素材は、金属層の極薄膜が繊維に密着し、赤外線吸収機能で、体内から発散される熱線を吸収して高い蓄熱効果を奏するようになっている。
【０００６】
【特許文献１】特開２００２−６１０１０
【特許文献２】特開２００１−３２９４０７
【特許文献３】特開２００１−３１７８８９
【発明の開示】
【発明が解決しようとする課題】
【０００７】
前記特許文献１および特許文献２に記載された発明は、ひざ掛けの形状であり、ひざ近傍の保温を効率よく行ったり、あるいは裾等が汚れ難いというものである。また、特許文献３に記載された発明は、金属や酸化物をドライメッキした素材からなるひざ掛けで、保温効果を大きくしたものである。
【０００８】
前記ひざ掛けは、保温性、柔軟性、多目的性、携帯性、取り扱い性、安価、使い捨て等の内の一つまたは二つを満足させるものであり、全てを満足させるものではない。また、前記ひざ掛けは、布または毛糸等によって作製されているため、安価でなく、かつ作製が容易とはいえない。
【０００９】
以上のような課題を解決するために、本発明は、保温性、柔軟性、通気性、透水性、耐候性、軽量、多目的性、携帯性、取り扱い性、安価、使い捨て、および作製が容易等の全を満足させるひざ掛けおよびひざ掛け作製方法を提供することを目的とする。
【課題を解決するための手段】
【００１０】
（第１発明）
第１発明のひざ掛けは、互いに重ねられた紙粉シートおよび紙シートと、前記重合する紙粉シートおよび紙シートの表面側および裏面側を覆う不織布と、前記不織布の周囲をシールするシール部と、から少なくとも構成されていることを特徴とする。
【００１１】
（第２発明）
第２発明のひざ掛けは、紙粉シートを挟んで重ねられた複数枚の紙シートと、前記重合する紙シートの表面側および裏面側を覆う不織布と、前記不織布の周囲をシールするシール部と、から少なくとも構成されていることを特徴とする。
【００１２】
（第３発明）
第３発明のひざ掛けは、互いに重ねられた複数枚の紙シートと、前記重合する紙シートの表面側および裏面側を覆う不織布と、前記不織布の周囲をシールするシール部と、から少なくとも構成されていることを特徴とする。
【００１３】
（第４発明）
第４発明のひざ掛けにおいて、シール部は、ヒートシールによって接着されていることを特徴とする。
【００１４】
（第５発明）
第５発明のひざ掛けにおいて、紙粉シート、紙シート、および両面側の不織布は、エンボス処理によって合着されていることを特徴とする。
【００１５】
（第６発明）
第６発明のひざ掛けにおいて、紙シートおよび／または紙粉シートは、古紙からなることを特徴とする。
【００１６】
（第７発明）
第７発明のひざ掛け作製方法は、紙粉シートおよび紙シートを互いに重ねる第１工程と、前記重ねられた前記各シートの両面を不織布によって覆う第２工程と、前記不織布の周囲をシールする第３工程と、から少なくとも構成されていることを特徴とする。
【００１７】
（第８発明）
第８発明のひざ掛け作製方法は、複数枚の紙シートにより紙粉シートを挟むように重ねる第１工程と、前記重ねられた前記各シートの両面を不織布によって覆う第２工程と、前記不織布の周囲をシールする第３工程と、から少なくとも構成されていることを特徴とする。
【００１８】
（第９発明）
第９発明のひざ掛け作製方法は、複数の紙シートを順次重ねる第１工程と、前記重ねられた前記紙シートの両面を不織布によって覆う第２工程と、前記不織布の周囲をシールする第３工程と、から少なくとも構成されていることを特徴とする。
【００１９】
（第１０発明）
第１０発明のひざ掛け作製方法において、紙シート、紙粉シート、および両面の不織布は、表面に凹凸が形成されたエンボスローラの間を通過することによってエンボスが成形される第４工程を有することを特徴とする。
【００２０】
（第１１発明）
第１１発明のひざ掛け作製方法において、紙シートは、トイレットペーパーからなることを特徴とする。
【発明の効果】
【００２１】
本発明は、不織布および紙シート、紙粉シートという柔軟性および保温性に優れ、安価であるが嵩高く、重厚感のある素材に着目したひざ掛けおよびひざ掛け作製方法である。紙シートあるいは紙粉シート等を覆う不織布からなる本発明のひざ掛けは、保温性、柔軟性、通気性、透水性、耐候性、軽量、多目的性、携帯性、取り扱い性、安価、使い捨て、および作製が容易等の全を満足させるものであり、ビルの室内や遊技店内において使用すると便利である。
【００２２】
本発明のひざ掛けによれば、ひざ掛けが安価で使い捨てにできるため、たとえば、パチンコホールにおける女性客に無料で配布し、新たな客層を増やすことができる。ひざ掛けをもらった客は、ひざ掛け以外に、布団、野外におけるシート、枕、スポーツ観戦時の座布団、飛行機等の乗物におけるひざ掛け等広い分野において利用することができる。本発明のひざ掛けによれば、安価、軽量で折り畳みが容易であるため、携帯性に優れている。
【発明を実施するための最良の形態】
【００２３】
（第１発明）
第１発明のひざ掛けは、所定の大きさに切断された紙粉シートと紙シートを互いに重ね合わせ、不織布によってこれらの紙粉シートおよび紙シートを覆う。前記不織布の周囲は、たとえば、接着剤またはミシン等によってシールされる。前記不織布内の紙粉シートおよび紙シートの重ねる順序は、どちらを上にしても良い。
【００２４】
（第２発明）
第２発明のひざ掛けは、不織布に収納される所定の大きさの紙粉シートに対して、上下方向から紙シートが重ねられている点で第１発明と異なっている。すなわち、第２発明のひざ掛けは、紙シートが少なくとも一枚多く不織布の中に入っている分、第１発明より保温力が大きくなる。また、第２発明は、前記不織布内において、紙シートを上下方向から紙粉シートによって挟むようにすることもできる。
【００２５】
（第３発明）
第３発明のひざ掛けは、不織布の中に順次複数層に重ねられた紙シートが入れられている点で、第１発明および第２発明と異なっている。すなわち、第３発明のひざ掛けは、不織布内に紙シートのみを入れている点で、第１発明および第２発明と異なっている。
【００２６】
（第４発明）
第４発明のひざ掛けは、不織布どうしを接着させるために、ヒートシールを使用した点で第１発明ないし第３発明と異なっている。ヒートシールは、接着剤のように乾燥等を行う必要がなく、所定の温度に加熱された熱プレスの押圧や熱ローラーを通過させるだけであるため、作製が容易かつ短時間となる。
【００２７】
（第５発明）
第５発明のひざ掛けは、不織布の上下方向からエンボス処理によって成形することで、前記不織布と、その内部の紙シートおよび紙粉シートが移動しないように合着される。また、第５発明のひざ掛けは、前記エンボス処理により、厚さ方向の厚み（嵩高）が厚くなり、保温性をより高める。
【００２８】
（第６発明）
第６発明のひざ掛けは、古紙からなる紙シートおよび／または紙粉シートを使用することで、安価なひざ掛けを作製した。
【００２９】
（第７発明）
第７発明のひざ掛け作製方法において、第１工程は、所定の大きさに揃えられた紙粉シートおよび紙シートを互いに重ねる。前記重ね方は、いずれを最初にしてもよい。次に、第２工程は、前記重ねられた紙粉シートおよび紙シートを不織布によって覆う。その後、第３工程は、前記不織布の周囲において、前記不織布どうしを互いにシールする。前記シールは、接着剤またはヒートシール等を採用することができる。
【００３０】
（第８発明）
第８発明のひざ掛け作製方法は、不織布に収納される所定の大きさの紙粉シートまたは紙シートに対して、上下方向から紙シートまたは紙粉シートが重ねられている点で異なっている。すなわち、第７発明のひざ掛け作製方法は、第１工程において、紙シートまたは紙粉シートが一枚多く重ねられているため、その分、第７発明のものより保温力が大きくなる。次に、第２工程において、重ねられた前記各シートは、不織布によって覆われる。その後、第３工程において、前記不織布は、周囲がシールされる。
【００３１】
（第９発明）
第９発明のひざ掛け作製方法は、第１工程において、複数の紙シートまたは紙粉シートを順次重ねる点で、第７発明および第８発明と異なっている。すなわち、第９発明は、紙シートのみを不織布の中に入れている。
【００３２】
（第１０発明）
第１０発明のひざ掛け作製方法は、不織布内に紙シートや紙粉シートを入れ、不織布どうしを接着した後、両面に凹凸が形成されたエンボスローラの間を通過させることによって、前記不織布の表面にエンボスが成形されると同時に嵩高となっている。また、前記エンボスの成形によって、前記不織布、紙シート、および紙粉シートが互いに押しつけあって、前記不織布の内部で移動しないように合着される。
【００３３】
（第１１発明）
第１１発明のひざ掛け作製方法は、不織布内に入れる紙部材を既成のトイレットペーパーとして、安価なひざ掛けを得ることができる。
【実施例１】
【００３４】
図１（イ）は本発明の一実施例で、ひざ掛けの一部を切り欠いた上面図であり、（ロ）は同じくひざ掛けの断面図である。図１（イ）および（ロ）において、ひざ掛け１は、前記不織布１１、１２よりやや大きさの小さい紙シート１３および紙粉シート１４が重ねられ、これらを不織布１１と不織布１２によって覆っている。前記紙シート１３および紙粉シート１４の重ねる順序は、任意である。
【００３５】
前記紙シート１３および紙粉シート１４は、いずれも市販されている既製品である。図１（イ）および（ロ）に示されているように、不織布１１および不織布１２の周囲は、たとえば、ヒートシールを行うプレス機の押圧、または熱ローラーの間の通過によって不織布１１、１２どうしがシールされて、ヒートシール部１５ができる。
【００３６】
前記ヒートシール部１５は、ヒートシールの代わりに図示されていない接着剤やミシンによってシールすることも可能である。前記接着剤によって不織布１１、１２どうしを接着する場合、接着剤の乾燥が必要である。前記接着剤は、たとえば、ポリ酢酸ビニール、あるいは、ポリ塩化ビニル等を使用することができる。シールにミシンを使用する場合、紙シート、紙粉シート、不織布を同時に縫い付けることができる。
【００３７】
図２は本発明の第一実施例で、ひざ掛けを上部から押圧するための図である。図２において、図１によって作製されたひざ掛け１は、エンボスローラー２１、２２の間を通過させる。前記エンボスローラー２１、２２を通過したひざ掛けは、前記エンボスローラー２１、２２の凹凸により、前記不織布１１、１２、前記紙シート１３、紙粉シート１４が互いに食い込むように押圧され、互いに内部で移動し難くなると同時に、全体の厚みが厚くなる。
【実施例２】
【００３８】
図３は本発明の第二実施例であるひざ掛けの断面図である。図３において、ひざ掛け３は、不織布１１および不織布１２の間に収納される所定の大きさの紙粉シート１４に対して、上下方向から紙シート１３、１３′が重ねられている。また、前記ひざ掛け３は、不織布１１および不織布１２の間に収納される所定の大きさの紙シートに対して、上下方向から紙粉シートを重ねるようにすることもできる。その後、不織布１１と不織布１２どうしは、その周囲がシールされる。
【実施例３】
【００３９】
図４は本発明の第三実施例であるひざ掛けの断面図である。図４において、ひざ掛け４は、紙シート４１が複数重ねられており、その周囲を不織布１１、１２が覆っている。また、前記不織布１１、１２の周囲は、たとえば、接着剤またはヒートシールによってシールされる。前記紙シート４１の代わりに、複数層の紙粉シートのみを不織布の中に入れることもできる。
【産業上の利用可能性】
【００４０】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の紙シート、紙粉シートは、ロール状に巻回された既成品を使用することができる。また、前記紙シートの材質は、古紙やトイレットペーパーを使用することができる。
【００４１】
本発明のひざ掛けに使用する紙シート、紙粉シートの厚さおよび枚数は、使用目的、使用場所によって任意に選択することができる。
【００４２】
本発明の実施例は、ひざ掛けで説明したが、ひざ掛け以外に、布団、足拭き、アウトドアにおけるシート、枕、スポーツ観戦時の座布団、断熱シート、包装用緩衝シート等に使用することができる。
【図面の簡単な説明】
【００４３】
【図１】（イ）は本発明の一実施例で、ひざ掛けの一部を切り欠いた上面図であり、（ロ）は同じくひざ掛けの断面図である。（実施例１）
【図２】本発明の第一実施例で、ひざ掛けを上部から押圧するための図である。（実施例１）
【図３】本発明の第二実施例であるひざ掛けの断面図である。（実施例２）
【図４】本発明の第三実施例であるひざ掛けの断面図である。（実施例３）
【符号の説明】
【００４４】
１・・・ひざ掛け
３・・・ひざ掛け
４・・・ひざ掛け
１１・・・不織布
１２・・・不織布
１３・・・紙シート
１３′・・・紙シート
１４・・・紙粉シート
１５・・・ヒートシール部
２１・・・エンボスローラー
２２・・・エンボスローラー
４１・・・紙シート
【図１】
2005054318.tif 000003
【図２】
2005054318.tif 000004
【図３】
2005054318.tif 000005
【図４】
2005054318.tif 000006